(57)【要約】【課題】ＭＩＭＯ通信方式において、伝送効率をほとんど低下させることなく、伝送レート要求信号を削減して送信することができ、伝送レート要求信号を送信する際の干渉及び消費電力を削減すること。【解決手段】変調符号化部１１２は、ＭＩＭＯ通信方式の通信相手に対して送信する送信データ及び前記複数の送信アンテナにおける伝送レート要求信号に対して符号化処理及び変調処理を行う。送信部１１４及び送信アンテナ１１６は、変調符号化部１１２からの信号を送信する。送信制御部１１０は、送信アンテナ１１６から送信される信号の送信を制御し、干渉補償部１２４において通信相手からの信号を用いて生成される伝搬路推定結果の逆行列の絶対値｜ＡＤ−ＢＣ｜がしきい値より小さい場合、送信アンテナ１１６を介して、１本分の送信アンテナの伝送レート要求信号を送信する。【選択図】図１
2011193519.tif 000002
【特許請求の範囲】
【請求項１】
通信相手からの要求信号を受信する受信手段と、
前記要求信号に基づいて、複数のアンテナからデータを送信する送信手段と、
を具備し、
前記送信手段は、
前記要求信号によって前記複数のアンテナ全てからの送信を要求された場合は、アンテナごとに独立に設定された伝送レートで前記データを送信し、
前記要求信号によって前記アンテナの数よりも少ないアンテナからの送信を要求された場合は、前記データを送信するアンテナ間で同一に設定された伝送レートで前記データを送信する、
通信装置。
【請求項２】
通信相手からの要求信号を受信する受信工程と、
前記要求信号によって前記複数のアンテナ全てからの送信を要求された場合は、アンテナごとに独立に設定された伝送レートでデータを送信し、前記要求信号によって前記アンテナの数よりも少ないアンテナからの送信を要求された場合は、データを送信するアンテナ間で同一に設定された伝送レートでデータを送信する送信工程と、
を具備する通信方法。
【発明の詳細な説明】
【技術分野】
【０００１】
本発明は、複数のアンテナから送信された無線信号を複数のアンテナで受信して無線通信を行うＭＩＭＯ(Multiple Input Multiple Output)技術を利用した無線通信システムにおいて使用される通信装置及び通信方法に関する。
【背景技術】
【０００２】
近年、画像等の大容量のデータ通信を可能にする技術としてＭＩＭＯ（Multi-Input / Multi-Output）通信が注目されている。ＭＩＭＯ通信では送信側の複数のアンテナからそれぞれ異なる送信データ（サブストリーム）を送信し、受信側では伝搬路上で混ざり合った複数の送信データを、伝搬路推定値を用いて元の送信データに分離する。
【０００３】
実際上、ＭＩＭＯ通信では、送信装置から送信された信号を、送信装置の数と同数又はそれよりも多いアンテナ数で受信し、当該各アンテナによって受信された信号にそれぞれ挿入されているパイロット信号に基づいてアンテナ間の伝搬路特性を推定する。
【０００４】
この推定された伝搬路特性Ｈは、例えば送信側アンテナが２つであり、受信アンテナが２つである場合には、２×２の行列によって表される。ＭＩＭＯ通信では、求めた伝搬路特性Ｈの逆行列と、各受信アンテナで得られた受信信号とに基づいて、各送信アンテナから送信された送信信号（サブストリーム）を求める。
【０００５】
図６(ａ)を用いて、送信機１０と受信機２０のアンテナ数がそれぞれ２つの場合におけるＭＩＭＯ通信の原理を説明する。ここで送信機１０のアンテナ１１、１２から送信される信号をそれぞれＴＸ１、ＴＸ２とし、受信機２０のアンテナ２１、２２により受信される信号をそれぞれＲＸ１、ＲＸ２とする。このとき、受信信号（ＲＸ１、ＲＸ２）は、図６(ｂ)に示す（式１）で表すことができる。
【０００６】
ただし、（式１）において、Ａは送信アンテナ１１と受信アンテナ２１との間の伝搬路特性、Ｂは送信アンテナ１２と受信アンテナ２１との間の伝搬路特性、Ｃは送信アンテナ１１と受信アンテナ２２との間の伝搬路特性、Ｄは送信アンテナ１２と受信アンテナ２２との間の伝搬路特性を表すものとする。
【０００７】
このとき、例えば、受信機２０向けに送信された信号がＴＸ１のみであった場合、ＴＸ２は受信機２０にとっては干渉信号となり、アンテナ２１で受信する信号には、希望信号成分および干渉信号成分の両方を含むこととなる。アンテナ２２についても同様である。
【０００８】
受信信号から上述した干渉信号成分を除去（補償）して送信信号（ＴＸ１、ＴＸ２）を得るためには、（式２）に示すように、４つの伝搬路特性Ａ、Ｂ、Ｃ、Ｄからなる行列の逆行列を求める必要がある。このため送信機１０では、送信信号に伝搬路推定用の既知信号（例えばパイロット信号）を挿入した信号を送信し、受信機２０では、この既知信号に基づいて伝搬路推定を行い、伝搬路特性Ａ、Ｂ、Ｃ、Ｄを求め、上記の逆行列を求める。
【０００９】
実際に、受信信号（ＲＸ１、ＲＸ２）から送信信号（ＴＸ１、ＴＸ２）を求める手順としては、（式２）に示す逆行列演算のみによってサブストリーム（各データ）を分離するＺＦ（Zero-Forcing）演算や、誤差を最小にするように分離するＭＭＳＥ（Minimum Mean Square Error）演算などが使用される。
【００１０】
このようにＭＩＭＯ通信においては、同一時間に同一周波数で送られた複数の信号を、理論上、受信機でそれぞれ分離することができるので、高速大容量の通信が可能となる。
【００１１】
ところで、ＭＩＭＯ通信方式については、送信側では、消費電力が大きい電力増幅器を備える無線部を用いた送信系統が複数必要となる。このため、通信システムにおいて、ＭＩＭＯ通信方式を上り回線に適用した場合、受信機２０の消費電力が非常に大きくなることが知られている。また、無線通信におけるスループットは、下り回線が重要視されている。これらの理由からＭＩＭＯ通信方式は、下り回線に使用されることが一般的となっている。
【００１２】
このようなＭＩＭＯ通信方式では、非特許文献１に示すように、スループットをさらに向上させるため、アンテナ毎に独立に伝送レートを設定し、各アンテナ毎の伝送レート設定用信号であるＣＱＩ（Channel Quality Indicator）を送信する方法が検討されている。
【００１３】
ＣＱＩは、受信機２０において復調可能なパケットデータの変調方式及び符号化率を示す信号であり、このＣＱＩに基づいて、送信機１０は、送信データの伝送先となる受信機２０を決定し、同時に最適な伝送レートを決定し、送信データを伝送する。
【００１４】
具体的には、基地局は、ＲＮＣ（Radio Network Controller）等の上位装置が設定した周期にて、ＣＱＩを移動局（受信機２０）から送信してもらう。このＣＱＩを受信した基地局は、移動局から送られてきたＣＱＩを用いてスケジューリングを行うと共に最適な変調方式及び符号化率等をアンテナ毎に独立に選択する。そして、基地局は、選択した変調方式及び符号化率等を用いて送信データを変調及び符号化し、スケジューリング結果に基づいて移動局へデータを送信する。これにより、電波伝搬環境に応じて伝送レートを適応的に変えて、大容量のデータを基地局から移動局へ送信することができる。
【先行技術文献】
【特許文献】
【００１５】
【非特許文献１】3GPP TS25.876
【発明の概要】
【発明が解決しようとする課題】
【００１６】
しかしながら、従来のアンテナ毎に独立に伝送レートを設定するＭＩＭＯ通信方式では、受信機（端末装置）は、アンテナ数分の伝送レート要求信号（ＣＱＩ）を通信相手に送信している。このため、受信機側から送信側に送信される伝送レート要求信号量がアンテナ数倍になる。よって、受信側から伝送レート要求信号を送信する際に、他の受信機（ユーザ）への干渉が増大するとともに、受信機の消費電力が増大するという問題がある。
【００１７】
本発明の目的は、伝送効率をほとんど低下させることなく、伝送レート要求信号を削減して送信することができ、伝送レート要求信号を送信する際の干渉及び消費電力を削減できる通信装置及び通信方法を提供することである。
【課題を解決するための手段】
【００１８】
本発明の通信装置は、通信相手からの要求信号を受信する受信手段と、前記要求信号に基づいて、複数のアンテナからデータを送信する送信手段と、を具備し、前記送信手段は、前記要求信号によって前記複数のアンテナ全てからの送信を要求された場合は、アンテナごとに独立に設定された伝送レートで前記データを送信し、前記要求信号によって前記アンテナの数よりも少ないアンテナからの送信を要求された場合は、前記データを送信するアンテナ間で同一に設定された伝送レートで前記データを送信する、構成を採る。
【００１９】
本発明の通信方法は、通信相手からの要求信号を受信する受信工程と、前記要求信号によって前記複数のアンテナ全てからの送信を要求された場合は、アンテナごとに独立に設定された伝送レートでデータを送信し、前記要求信号によって前記アンテナの数よりも少ないアンテナからの送信を要求された場合は、データを送信するアンテナ間で同一に設定された伝送レートでデータを送信する送信工程と、を具備する。
【発明の効果】
【００２０】
以上説明したように、本発明によれば、ＭＩＭＯ通信方式において、伝送効率をほとんど低下させることなく、伝送レート要求信号を削減して送信することができ、伝送レート要求信号を送信する際の干渉及び消費電力を削減することができる。
【図面の簡単な説明】
【００２１】
【図１】本発明の実施の形態１に係る通信装置である端末装置の構成を示すブロック図
【図２】図１に示す端末装置の通信相手の一例である送信装置の概略構成を示すブロック図
【図３】本発明の実施の形態１に係る端末装置を有する通信システムのフローチャート
【図４】本発明の実施の形態２に係る通信装置である端末装置の構成を示すブロック図
【図５】本発明の実施の形態３に係る通信装置である端末装置の構成を示すブロック図
【図６】（ａ）ＭＩＭＯ通信の原理を説明する図、（ｂ）送信信号と受信信号の関係を表す式
【発明を実施するための形態】
【００２２】
以下、本発明の実施の形態について、図面を参照して詳細に説明する。
【００２３】
（実施の形態１）
図１は、本発明の実施の形態１に係る通信装置である端末装置１００の構成を示すブロック図である。
【００２４】
この実施の形態１の端末装置１００は、ＭＩＭＯ通信方式の通信システムにおいて、アンテナ毎に独立に伝送レートを設定して送信する通信相手に、通信相手における各アンテナ毎の伝送レート設定用（要求）信号（ＣＱＩ：Channel Quality Indicator）を送信するものである。
【００２５】
この端末装置１００は、通信相手の各送信アンテナから送信されるデータの伝送路に関する伝搬路推定結果からなる行列の行列式の絶対値（伝搬路推定結果の逆行列の絶対値）が所定の値より小さい場合は、１本分のアンテナの伝送レート要求信号のみを送信することによって、伝送効率をほとんど低下させることなく、伝送レート要求信号を削減し、伝送レート要求信号を送信する際の干渉及び消費電力の削減を図ることである。なお、この実施の形態１の端末装置１００を含む各実施の形態端末装置は、ＣＤＭＡ（Code Division Multiple Access）通信方式を用いたものとして説明する。
【００２６】
図１に示す端末装置（通信装置）１００は、送信データに対して送信制御を行う送信制御部１１０と、送信されるデータに対して変調処理を行うとともに符号化処理を行う変調符号化部１１２と、無線周波数帯に周波数変換する送信部１１４と、送信アンテナ１１６とを有する。さらに、端末装置１００は、受信アンテナ１２０−１、１２０−２と、受信部１２２−１、１２２−２と、干渉補償部１２４と、伝送レート要求生成部１２６−１、１２６−２と、比較部１２８と、Ｐ／Ｓ（パラレル−シリアル）変換部（図１では「Ｐ／Ｓ」で示す）１３０と、選択部１３２と、復号部１３４と、Ｓ／Ｐ（シリアル−パラレル）変換部（図１では「Ｓ／Ｐ」で示す）１３６とを有する。
【００２７】
送信制御部１１０は、通信相手としての送信装置（基地局）２００（図２参照）に送信する送信信号の送信制御を行うものであり、送信信号を格納し、この格納した送信信号を送信時刻に、変調符号化部１１２に出力する。
【００２８】
また、送信制御部１１０は、伝送レート要求生成部１２６−１、１２６−２から入力される通信相手の各送信アンテナ２１０、２２０（図２参照）毎の伝送レート要求信号や、Ｓ／Ｐ変換部１３６からの再送要求信号に基づいて送信制御を行う。
【００２９】
さらに、送信制御部１１０は、選択部１３２から入力される選択結果に基づいて伝送レート要求信号の送信制御を行う。具体的には、送信制御部１１０は、選択部１３２によって選択される通信相手の全送信アンテナ数分の伝送レート要求信号または１本の送信アンテナ分の伝送レート要求信号に対応する伝送レート要求信号の送信制御を行ったり、正しく受信されたか否かを示す情報（例えば、再送要求情報等）の送信制御を行ったりする。
【００３０】
変調符号化部１１２は、送信制御部１１０により送信制御される送信データを変調処理するとともに符号化処理して送信部１１４に出力する。変調処理及び符号化処理が施された送信信号は、送信部１１４において無線周波数帯に周波数変換され、送信アンテナ１１６を介して送信される。
【００３１】
受信アンテナ１２０−１、１２０−２は、通信相手（ここでは、図２に示す送信装置２００）から送信されたデータを受信して、対応する受信部１２２−１、１２２−２にそれぞれ出力する。
【００３２】
受信部１２２−１は、受信アンテナ１２０−１が受信した無線周波数帯の信号である受信信号に対しダウンコンバート等の所定の無線受信処理、つまり、周波数変換を行い、ベースバンド帯の信号を得て干渉補償部１２４に出力する。同様に、受信部１２２−２は、受信アンテナ１２０−２が受信した無線周波数帯の信号である受信信号に対しダウンコンバート等の所定の無線受信処理、つまり、周波数変換を行い、ベースバンド帯の信号を得て干渉補償部１２４に出力する。
【００３３】
干渉補償部１２４は、受信部１２２−１、１２２−２から出力された信号に対し伝搬路推定（チャネル推定）を行い、この伝搬路推定結果に基づいて伝搬路補償（回線変動補償）を施すとともに、伝搬路推定結果からなる行列の行列式の絶対値（伝搬路推定結果の逆行列の絶対値｜ＡＤ−ＢＣ｜に相当）を比較部１２８に出力すると共に、既述のＭＩＭＯ分離処理を行い、分離された受信信号をＰ／Ｓ変換部１３０に出力する。
【００３４】
具体的には、干渉補償部１２４は、まず、各受信アンテナで受信された信号に含まれるパイロット信号を用いて第１及び第２送信アンテナ２１０、２２０と受信アンテナ１２０−１、１２０−２間の伝搬路特性を推定する。本実施の形態では送信側および受信側で共に２本のアンテナを用いているので、２×２＝４個の伝搬路特性を推定することになる。
【００３５】
次に、干渉補償部１２４は、推定された伝搬路特性情報に基づいて、受信部１２２−１、１２２−２から出力された信号を第１及び第２送信アンテナ２１０、２２０から送信された元のサブストリームに分離する。つまり、受信された信号は、第１及び第２送信アンテナ２１０、２２０から送信されたデータが混ざり合ったものとなっているので、チャネル推定により得られた伝搬路特性を用いてこれら２つのデータを、例えば、２行×２列の伝搬路特性情報からなる行列の逆行列を受信信号に乗算することにより、互いに混ざり合ったデータを送信側から送られてきた２つのサブストリームに分離する。なお、サブストリームの分離方法としては、上記の逆行列演算による方法のみでなく、例えば、等化器の逐次判定を用いる方法、ＭＬＳＥ（Maximum Likelihood Sequence Estimation）法等もある。
【００３６】
このように、干渉補償部１２４は、ベースバンド帯の信号に変換された受信信号に干渉補償処理を施すことよって、通信相手からの信号を用いて伝搬路推定を行うとともに、通信相手の各送信アンテナから送信されたデータを得て、得た送信データを伝送レート要求生成部１２６−１、１２６−２及びＰ／Ｓ変換部１３０に出力する。
【００３７】
なお、伝搬路推定とは、無線信号が送信側から送信された後、受信側の受信アンテナに到達するまでの伝搬路において、フェージング等の影響により受けた伝搬路変動（回線変動）の大きさを推定することである（図６参照）。
【００３８】
このように伝搬路特性を推定することにより、干渉補償部１２４は、この実施の形態では、比較部１２８に出力する伝搬路特性（チャネル推定値）Ａ、Ｂ、Ｃ、Ｄ（図６参照）からなる行列の行列式の絶対値（以下、「伝搬路推定結果の逆行列の絶対値」という）｜ＡＤ−ＢＣ｜を別途算出することなく、算出できる。
【００３９】
伝送レート要求生成部１２６−１、１２６−２は、通信相手の各アンテナ（例えば、図２に示す第１及び第２送信アンテナ２１０、２２０）毎に、干渉補償部１２４の伝搬路推定と同様の伝搬路推定に基づく回線品質推定を行い、通信相手の各アンテナ毎の伝送レート要求信号ＣＱＩを生成する。
【００４０】
つまり、伝送レート要求生成部１２６−１、１２６−２で行われる回線品質推定方法は、本実施の形態のように、端末装置１００の受信アンテナが２つ、端末装置１００の通信相手である後述する送信装置２００（図２参照）の送信アンテナが２つの場合、４つの伝搬路推定結果より算出することができる。例えば、第１送信アンテナ２１０（図２参照）や第２送信アンテナ２２０（図２参照）の回線品質情報（以下、「品質情報」という）は、図６の４系統の伝搬路推定結果Ａ、Ｂ、Ｃ、Ｄを用いて算出できる。第１送信アンテナ２１０の品質情報は｜Ａ｜＋｜Ｃ｜、第２送信アンテナ２２０の品質情報は｜Ｂ｜＋｜Ｄ｜とすればよい。なお、ここで示した品質推定方法はあくまで一例であり、本発明は、ここで示した品質推定結果に限定されず、任意の品質推定方法を用いてもよいことは勿論である。
【００４１】
このように、これら伝送レート要求生成部１２６−１、１２６−２は、通信相手側の各送信アンテナ（例えば図２に示す第１及び第２送信アンテナ２１０、２２０）にそれぞれ対応し、各アンテナ毎の伝送レート要求信号を含む品質推定結果を選択部１３２に出力する。
【００４２】
比較部１２８は、干渉補償部１２４により生成された伝搬路推定結果からなる行列の行列式の絶対値（ここでは、伝搬路推定結果の逆行列の絶対値｜ＡＤ−ＢＣ｜）としきい値との大小比較を行い、その結果を選択部１３２に出力する。ここで、比較部１２８が算出する比較結果は、端末装置１００にデータを送信する通信相手側に対して送信する伝送レート要求を、相手側のアンテナ数分送信するか否かを示すものとなる。
【００４３】
選択部１３２は、伝送レート要求生成部１２６−１、１２６−２から入力される、通信相手側の各アンテナにそれぞれ対応する品質推定結果（通信相手の各送信アンテナ毎の伝送レート要求信号を含む）と、比較部１２８から入力される情報と、Ｓ／Ｐ変換部１３６から入力される正しく受信されたか否かを示す情報とに基づいて、通信相手側へ送る伝送レート要求信号を、全アンテナ数分送信制御部１１０に入力するかそれとも１本アンテナ数分入力するかの選択を行う。選択部１３２が決定した選択結果は、送信制御部１１０に出力される。
【００４４】
Ｐ／Ｓ変換部１３０は、干渉補償部１２４での補償より得られた、通信相手の送信アンテナ（例えば、図２に示す第１及び第２送信アンテナ２１０、２２０）から送信されたデータをそれぞれＰ／Ｓ変換して、復号部１３４に出力する。
【００４５】
復号部１３４は、Ｐ／Ｓ変換部１３０からＰ／Ｓ変換されたデータに復号処理を施し、Ｓ／Ｐ変換部１３６に出力する。受信信号に誤りが存在する場合は、Ｓ／Ｐ変換部１３６は、正しく受信されたか否かを示す情報を選択部１３２に出力する。
【００４６】
図２は図１に示す本発明の実施の形態１に係る端末装置１００の通信相手の一例である送信装置の概略構成を示すブロック図である。
【００４７】
図２に示す送信装置２００は、例えば、基地局として用いられ、複数の送信アンテナ（ここでは、第１送信アンテナ２１０、第２送信アンテナ２２０）からそれぞれ異なるデータを通信相手である複数の端末装置に送信するものである。
【００４８】
この送信装置２００は、変調符号化部２１３、２２３、送信部２１５、２２５、受信アンテナ２４０、受信部２４３、復調部２４５、復号部２４７、Ｓ／Ｐ変換部（図２では「Ｓ／Ｐ」で示す）２４９、送信制御部２６０を有する。
【００４９】
送信制御部２６０は、送信データ（送信信号）に対して送信制御を行う。詳細には、送信制御部２６０は、送信データを格納し、所定の送信時刻に、変調符号化部２１３、２２３に出力する。
【００５０】
また、送信制御部２６０は、通信相手（ここでは、端末装置１００）から送信される再送情報に基づいて、再送制御を行うとともに、通信相手から送信される伝送レート要求信号に基づいて各送信アンテナ２１０、２２０について独立に伝送レートを設定し、設定した伝送レートに基づいて、送信データを送信する。
【００５１】
詳細には、送信制御部２６０は、Ｓ／Ｐ変換部２４９から入力される、通信相手から通知された再送要求や伝送レート要求、品質情報、再送するデータを示す情報等に基づいて再送信制御を行う。なお、再送要求は、ここでは、端末装置１００で受信信号が正しく受信されたか否かを示す情報である。
【００５２】
そして、送信制御部２６０は、通信相手（ここでは、端末装置１００）から送信された伝送レート要求信号が１本分の送信アンテナのみであった場合、その伝送レートで、１本分の送信アンテナからのみ、あるいは全送信アンテナ２１０、２２０から同一データを送信するように制御する。この場合、変調符号化部２１３、２２３は、同一の符号化率及び変調方式が選択される。
【００５３】
変調符号化部２１３、２２３は、送信すべきデータ、つまり、送信装置２００が有する第１及び第２送信アンテナ２１０、２２０から送信されるデータ（図２では「送信信号」として示す）に対してそれぞれ符号化処理及び変調処理を行い、送信部２１５、２２５に出力する。なお、変調符号化部２１３、２２３における変調処理は、通常、各送信アンテナ２１０、２２０毎に独立に変調方式を設定するもの（3GPP TR25.876）であるが、通信相手（ここでは、端末装置１００）からの伝送レート要求信号が１本分のアンテナのみであった場合は、同一の符号化率及び変調方式を設定するものである。
【００５４】
送信部２１５、２２５は、変調符号化処理された送信データ（送信信号）を無線周波数帯に周波数変換して、各第１及び第２送信アンテナ２１０、２２０に出力する。各第１及び第２送信アンテナ２１０、２２０は、送信部２１５、２２５によって周波数変換された送信データを、通信制御部２６０においてそれぞれ設定された伝送レートで送信する。
【００５５】
受信アンテナ２４０は、通信相手から送信されたデータを受信して、受信部２４３に出力し、受信部２４３は、入力される受信データをベースバンド帯の信号に周波数変換して、復調部２４５に出力する。
【００５６】
復調部２４５は、入力される周波数変換後の受信データに復調処理を施し、復号部２４７に出力する。ここで送信装置（基地局）２００は、通信相手（端末装置１００）が１本分の送信アンテナの伝送レート要求信号を送信しているか、それとも複数本分（ここでは、２本分）の送信アンテナの伝送レート要求信号を送信しているかの識別を行う。
【００５７】
例えば、ＣＤＭＡ（Code Division Multiple Access）通信方式にＭＩＭＯ通信方式を適用した本実施の形態の場合では、復調部２４５は、各送信アンテナ２１０、２２０の伝送レート要求信号を逆拡散した結果を比較し、両者の差が大きい場合は１本分の送信アンテナの伝送レート要求信号しか送信していないと判断する。
【００５８】
このように、必ずしも通信相手（端末装置１００）が何本分の送信アンテナの伝送レート要求信号を送信しているかを示す情報を端末装置１００が通知しなくても、送信装置２００は、端末装置１００が何本分の送信アンテナの伝送レート要求信号を送信しているかを判断することは可能である。
【００５９】
このように構成される復調部２４５から入力される受信データは、復号部２４７において、復号処理が施され、Ｓ／Ｐ変換部２４９に出力される。
【００６０】
Ｓ／Ｐ変換部２４９は、通信相手から送信される送信信号からデータ、再送情報、伝送レート要求情報を抽出し、送信制御部２６０に入力する。つまり、Ｓ／Ｐ変換部２４９は、受信したデータ（受信信号）と、通信相手から通知された再送要求や伝送レート要求、品質情報、再送するデータを示す情報とを振り分けて、送信制御部２６０に出力する。
【００６１】
次いで、上記構成を有する端末装置１００及び、基地局としての送信装置２００を有するシステムの動作について、図３を用いて説明する。図３は、本発明の実施の形態１に係る通信装置（端末装置）１００（図１参照）及び送信装置２００（図２参照）を有する通信システムのフローチャートである。
【００６２】
まず、ステップＳ１において、端末装置１００は、受信アンテナ１２０−１、１２０−２を介して、通信相手である送信装置（基地局）２００からの送信信号を受信し、ステップＳ２に移行する。
【００６３】
具体的には、ステップＳ１では、端末装置１００において、受信アンテナ１２０−１、１２０−２を介して受信した受信信号は、受信部１２２−１、１２２−２によってベースバンド帯の信号に変換された後、干渉補償部１２４によって干渉補償処理が施される。これにより、伝搬路推定結果の逆行列の絶対値｜ＡＤ−ＢＣ｜および通信相手の各送信アンテナ２１０、２２０から送信されたデータが生成される。
【００６４】
この干渉補償部１２４からの送信データを用いて、端末装置１００では、伝送レート要求生成部１２６−１、１２６−２が、通信相手の各アンテナ（例えば、図２に示す第１及び第２送信アンテナ２１０、２２０）毎の回線品質推定を行い、各アンテナ毎の伝送レート要求信号を生成する。
【００６５】
ステップＳ２では、端末装置１００は、生成された伝搬路推定結果の逆行列の絶対値（伝搬路推定値からなる行列の行列式）｜ＡＤ−ＢＣ｜が、しきい値より大きいか否かを判定し、しきい値以上の場合、ステップＳ３に移行し、しきい値より小さい場合、ステップＳ４に移行する。
【００６６】
詳細には、端末装置１００の比較部１２８において、干渉補償部１２４により生成される伝搬路推定結果の逆行列の絶対値｜ＡＤ−ＢＣ｜を算出し、算出した｜ＡＤ−ＢＣ｜と、しきい値とを比較して、しきい値に対する大小（ここでは、しきい値より大きいか否か）を判定する。
【００６７】
この判定に基づいて、比較部１２８は、選択部１３２に、伝送レート要求をアンテナ数分送信するか否かの情報を出力する。この比較部１２８が、選択部１３２に伝送レート要求を送信アンテナ数分送信する情報を出力する場合、ステップＳ３の処理が行われることとなり、選択部１３２にアンテナ数分送信しない情報を出力する場合は、ステップＳ４の処理が行われることとなる。
【００６８】
ステップＳ３では、端末装置１００は、通信相手における全ての送信アンテナ（ここでは第１及び第２送信アンテナ２１０、２２０）の伝送レート要求値を通信相手（送信装置２００）に送信して、ステップＳ５に移行する。
【００６９】
詳細には、ステップＳ３では、比較部１２８が伝送レート要求を通信相手の送信アンテナ数分送信するか否かの情報を、選択部１３２に出力し、この情報から選択部１３２が、伝送レート要求をアンテナ数分送信する情報を選択する。そして、選択部１３２は、選択した情報（アンテナ数分送信する情報）とともに、選択した情報に対応する、伝送レート要求生成部１２６−１、１２６−２から入力される伝送レート要求値（伝送レート要求）を送信制御部１１０に出力する。送信制御部１１０は、変調符号化部１１２、送信部１１４及び送信アンテナ１１６を介して、選択部１３２からの情報に基づいた全てのアンテナ（ここでは、図２に示す第１及び第２送信アンテナ２１０、２２０）の伝送レート要求信号を送信装置２００に送信する。
【００７０】
一方、ステップＳ４では、端末装置１００は、通信相手の各送信アンテナ（例えば、図２に示す第１及び第２送信アンテナ２１０、２２０）どうしの伝送レート要求値を比較する。具体的にステップＳ４では、第１送信アンテナ２１０と第２送信アンテナ２２０の伝送レート要求値を比較して、第１送信アンテナ２１０の方の品質が悪いか否かを判定する。ステップＳ４では、第１送信アンテナ２１０の方が品質が悪い場合、ステップＳ６に移行し、第１送信アンテナ２１０の方が品質が良い場合、つまり、第２送信アンテナ２２０の方が品質が悪い場合は、ステップＳ７に移行する。
【００７１】
詳細には、ステップＳ４では、端末装置１００の選択部１３２に、比較部１２８からアンテナ数分送信しない情報が入力される。そして、選択部１３２は、伝送レート要求生成部１２６−１、１２６−２から入力される情報（通信相手が有する第１及び第２送信アンテナ２１０、２２０における伝送レート要求信号値）を比較する。そして、選択部１３２において第１送信アンテナ２１０の品質が悪い場合は、送信制御部１１０に、第２送信アンテナ２２０の伝送レート要求値を出力して、ステップＳ６に移行し、第２送信アンテナ２２０の品質が悪い場合は、送信制御部１１０に、第１送信アンテナ２１０の伝送レート要求値を出力して、ステップＳ７に移行する。
【００７２】
ステップＳ６では、端末装置１００において、送信制御部１１０は、通信相手である送信装置２００に対し、選択部１３２からの情報に基づいて、送信装置２００の有する第２送信アンテナ２２０の伝送レート要求値を送信し、ステップＳ８に移行する。
【００７３】
ステップＳ７では、端末装置１００において、送信制御部１１０は、通信相手である送信装置２００に対し、選択部１３２からの情報に基づいて、送信装置２００の有する第１送信アンテナ２１０の伝送レート要求値を送信し、ステップＳ８に移行する。
【００７４】
上記ステップＳ１〜ステップＳ４、ステップＳ６及びステップＳ７の処理を端末装置１００で行うと、これらステップを経て端末装置１００から送信される伝送レート要求値を含む送信信号は、送信装置２００において、受信アンテナ２４０を介して受信される。端末装置１００からの送信信号を受信した送信装置２００は、受信部２４３、復調部２４５、復号部２４７及びＳ／Ｐ変換部２４９を介して、伝送レート要求値を得て、ステップＳ５及びステップＳ８の処理を行う。
【００７５】
詳細には、ステップＳ５では、送信装置２００（図２参照）が、端末装置１００から、全ての送信アンテナの伝送レート要求値を受信すると、各アンテナ（第１及び第２送信アンテナ２１０、２２０）独立に伝送レートを設定してデータを送信する。
【００７６】
詳細には、ステップＳ５では、送信装置２００の送信制御部２６０が、受信アンテナ２４０、受信部２４３、復調部２４５、復号部２４７及びＳ／Ｐ変換部２４９を介して端末装置１００の送信信号から得られる伝送レート要求に基づいて、各送信アンテナ２１０、２２０の伝送レートを設定してデータの送信制御を行う。つまり、送信制御部２６０は、端末装置１００からの伝送レート要求値に基づいて、変調符号化部２１３、２２３、送信部２１５、２２５を介して、第１及び第２送信アンテナ２１０、２２０から同一のデータを送信する。例えば、同一のデータは、端末装置１００からの伝送レート要求値に対応した、送信装置２００における送信アンテナから送信されるデータである。
【００７７】
また、ステップＳ８では、送信装置２００は、受信アンテナ２４０、受信部２４３、復調部２４５、復号部２４７及びＳ／Ｐ変換部２４９を介して得られる端末装置１００からの伝送レート要求値を全送信アンテナの伝送レートとして設定し、同一の伝送レートで送信データを送信する。
【００７８】
このように本発明に係る端末装置１００では、通信相手（送信装置２００）から送信さされる信号に関する伝搬路推定結果の逆行列の絶対値（伝搬路推定結果からなる行列の行列式の絶対値）がしきい値以上の場合は、通信相手（送信装置２００）の全送信アンテナ（ここでは、第１及び第２送信アンテナ２１０、２２０）の伝送レート要求値を送信する。この伝送レート要求値を受けた通信相手（送信装置２００）は、送信される伝送レート要求値に基づいて、各送信アンテナ（ここでは、第１及び第２送信アンテナ２１０、２２０）毎に独立に伝送レートを設定して送信する。
【００７９】
一方、端末装置１００において、通信相手（送信装置２００）から送信される信号における伝搬路推定結果の逆行列の絶対値がしきい値より小さい場合は、通信相手（送信装置２００）の全送信アンテナ数より少ない数の送信アンテナ（ここでは１本）の伝送レート要求値を送信する。この伝送レート要求値を受けた通信相手（送信装置２００）は、端末装置１００からの伝送レート要求値に基づく伝送レートを、全送信アンテナ同一の伝送レートとして設定し、全送信アンテナから送信データを送信する。
【００８０】
具体的には、端末装置１００において、伝搬路推定結果の逆行列の絶対値がしきい値より小さく、且つ、一方の送信アンテナ（ここでは、第１送信アンテナ２１０）の品質が悪いと判断した場合、他方の送信アンテナ（ここでは、第２送信アンテナ２２０）の伝送レート要求信号を通信相手である送信装置２００に送信する。すると、送信装置２００は、通知された送信アンテナ（第２送信アンテナ２２０）の伝送レート要求値を全送信アンテナ同一の伝送レートとして設定し、送信データを送信する。
【００８１】
また、端末装置１００において、伝搬路推定結果の逆行列の絶対値がしきい値より小さく、他方の送信アンテナ（ここでは、第２送信アンテナ２２０）の方の品質が悪いと判断した場合、一方の送信アンテナである第１送信アンテナ２１０の伝送レート要求信号を通信相手である送信装置２００に送信する。すると、送信装置２００は、通知された一方の送信アンテナ（第１送信アンテナ２１０）の伝送レート要求値を全アンテナ同一の伝送レートとして設定し、送信データを送信する。
【００８２】
なお、端末装置１００において算出される通信相手から送信される信号に対する伝搬路推定結果の逆行列の絶対値が、しきい値より小さい場合に、通信相手の有する送信アンテナのうち、どの送信アンテナの伝送レート要求信号を送信するかについてであるが、本実施の形態では、品質が良い方のアンテナの伝送レート要求信号を送信するようにしている。
【００８３】
このように本実施の形態によれば、端末装置１００側から送信される伝送レート要求値は、送信装置２００の各送信アンテナ２１０、２２０から送信される信号を用いた伝搬路推定結果の逆行列の絶対値がしきい値より小さい場合に、送信装置２００の有する全送信アンテナ分送信されておらず、ここでは１本の送信アンテナ分のみが送信されている。これを受けて、送信装置２００は、全アンテナ同一の伝送レートで通信する。よって、端末装置１００は、伝送効率をほとんど低下させることなく、伝送レート要求信号を削減することができ、干渉及び消費電力の削減できるとともに、送信装置２００では、スループットをほとんど低下させずに下り回線の制御情報量を削減できる。
【００８４】
すなわち、伝搬路推定結果の逆行列の絶対値が小さい場合、つまり０に近づく場合においてＭＩＭＯ通信(複数のアンテナからそれぞれ異なるデータを送信)を行った場合、品質に劣化が非常に大きくなる。このような伝搬環境では従来、ＭＩＭＯ通信を行わず、１本のアンテナからのみ送信、あるいは同一データを複数アンテナから送信するといった処理が行われる。１本のアンテナからのみ送信、あるいは同一データを複数アンテナから送信する場合、アンテナ数分の伝送レート要求信号は不要であり、１本分の伝送レート要求信号のみを通信相手に送信すれば良い。
【００８５】
よって、本実施の形態では、伝搬路推定結果の逆行列の絶対値が小さい場合、アンテナ１本分の伝送レート要求信号を送信し、通信相手は全アンテナ同一の伝送レートに設定して通信を行うことにより、スループットをほとんど低下させることなく伝送レート要求信号量を削減している。
【００８６】
また、例えば、伝送レートを適応的に変化させる通信方式においては、ＭＩＭＯ通信方式に限らず、通信相手にどの伝送レートで送信しているかを示す情報を送信する必要がある。
【００８７】
特に、アンテナ毎に伝送レートを設定するＭＩＭＯ通信方式においては、どの伝送レートで送信しているかを示す情報を送信装置側に送信する場合、アンテナ数倍になり、下り回線における制御信号量もアンテナ数倍になってしまう。
【００８８】
これに対して本実施の形態では、送信装置２００が全送信アンテナ同一の伝送レートで通信する場合、送信装置２００の通信相手である端末装置１００から１本のアンテナ分の制御情報のみを送信すれば良いものとなっており、これにより、スループットをほとんど低下させずに下り回線の制御情報量も削減できる。
【００８９】
なお、本実施の形態では、端末装置１００の通信相手である送信装置２００が有する送信アンテナ数は、２としたが、これに限らず、送信装置側の送信アンテナ数は任意に設定できることは言うまでも無い。
【００９０】
（実施の形態２）
図４は、本発明の実施の形態２に係る通信装置である端末装置３００の構成を示すブロック図である。
【００９１】
この実施の形態２における端末装置３００は、伝搬路推定結果からなる行列の行列式（伝搬路推定結果の逆行列の絶対値｜ＡＤ−ＢＣ｜）に基づいて、通信相手の送信アンテナ数分の伝送レート要求信号を送信するか１本分のアンテナの伝送レート要求信号のみを送信するかを示す情報を、通信相手に送信することにより、実施の形態１の端末装置１００を用いた場合よりもさらに、通信相手が伝送レート要求信号を誤検出することを低減できるものである。
【００９２】
まず、実施の形態２における端末装置３００の通信相手である基地局などの送信装置は、実施の形態１における送信装置２００（図２参照）と同様のものであり、異なる点のみ説明し、同様の構成作用については説明を省略する。
【００９３】
実施の形態２における端末装置３００の通信相手である送信装置の動作であるが、図２の送信装置２００におけるＳ／Ｐ変換部２４９の動作が異なる。つまり、実施の形態２における送信装置では、図２の送信装置２００を参照すると、Ｓ／Ｐ変換部２４９は、正しく受信されたか否かを示す情報（例えば、受信信号に誤りが存在するか否かを示す再送要求信号を送信制御部２６０に出力するとともに、端末装置３００から送信された何本分のアンテナの伝送レート要求信号を送信しているかの情報によって、伝送レート要求信号を抽出して、送信制御部２６０に出力するものとなっている。
【００９４】
また、本実施の形態２の送信装置は、実施の形態１の送信装置２００と同様、ＣＤＭＡ通信方式に適用されたＭＩＭＯ通信方式の基地局等として用いられ、端末装置３００が１本分のアンテナの伝送レート要求信号を送信しているかそれとも複数本分（ここでは、２本分）のアンテナの伝送レート要求信号を送信しているかの識別を行うことができる。このような送信装置における識別には、例えば、各送信アンテナにおける伝送レート要求信号を逆拡散した結果を比較し、両者の差が大きい場合は１本分のアンテナの伝送レート要求信号しか送信していないと判断する方法等が用いられる。
【００９５】
このように、必ずしも端末装置３００が何本分かの送信アンテナの伝送レート要求信号を送信しているかを示す情報を端末装置３００が通知しなくても、基地局は端末が何本分の送信アンテナの伝送レート要求信号を送信しているかを判断することは可能である。
【００９６】
しかし、送信装置が伝送レート要求信号を誤検出することを低減するためには、端末装置３００が何本分の送信アンテナの伝送レート要求信号を送信しているかの情報を送信装置に送信する方法が有効である。
【００９７】
ここで、端末装置３００が何本分の送信アンテナの伝送レート要求信号を送信しているかの情報は、例えば、送信アンテナ数が２本であれば１ビットでよく、伝送レート要求信号に比べれば十分少ない（例えば、３ＧＰＰでは、伝送レート要求信号は５ビット必要）ため、上り回線の制御情報量はほとんど増大しないと考えてよい。
【００９８】
図４に示す端末装置３００は、実施の形態１における端末装置１００（図１参照）の構成において、選択部１３２を省いた構成であり、基本的には同様の構成を有している。よって、本実施の形態の端末装置３００において、端末装置１００（図１参照）と異なる構成について説明し、その他、同様の構成については同符号を付して説明は省略する。
【００９９】
図４に示す端末装置３００では、伝送レート要求生成部１２６−１、１２６−２は、通信相手側の各送信アンテナにそれぞれ対応する品質推定結果（各送信アンテナ毎の伝送レート要求信号を含む）を、送信制御部３１０に出力する。なお、伝送レート要求生成部１２６−１、１２６−２で行われる回線品質推定方法は、実施の形態１で説明したものと同様な方法であるため説明は省略する。
【０１００】
比較部１２８は、しきい値との大小比較を行い、その結果を送信制御部３１０に出力する。ここで、比較部１２８が算出する比較結果は、端末装置３００にデータを送信する通信相手側に対して送信する伝送レート要求信号を、相手側の送信アンテナの何本分に対応させて送信するか否かを示すものとなる。
【０１０１】
送信制御部３１０は、通信相手（例えば、送信装置２００）に送信する送信信号の送信制御を行うものであり、送信制御部１１０と同様、送信信号を格納して、送信時刻に変調符号化部１１２に出力する。
【０１０２】
また、送信制御部３１０は、伝送レート要求生成部１２６−１、１２６−２から入力される通信相手の各送信アンテナ（例えば、図２に示す第１及び第２送信アンテナ２１０、２２０）毎の伝送レート要求信号及び比較部１２８から入力される伝送レート要求をアンテナ数分送信するか否かを示す情報に基づく送信制御を行う。詳細には、送信制御部３１０は、比較部１２８から入力される伝送レート要求を送信アンテナ数分送信するか否かを示す情報と、この情報に対応する送信アンテナの伝送レート要求信号とを、通信相手である送信装置へ送信する制御を行う。
【０１０３】
このように実施の形態２では、端末装置３００から伝送レート要求をアンテナ数分送信するか否かを示す情報を、通信相手に送信する。これにより、実施の形態１の端末装置１００を用いた場合よりもさらに、通信相手における伝送レート要求信号の誤検出を低減することができる。
【０１０４】
なお、実施の形態２に係る端末装置３００からの信号を受信する送信装置（基地局）２００（図２参照）では、Ｓ／Ｐ変換部２４９において、正しく受信されたかを示す情報（例えば、再送要求信号）とともに、端末装置３００が通知する何本分の送信アンテナの伝送レート要求信号を送信しているかの情報に基づいた伝送レート要求信号を抽出して送信制御部２６０（図２参照）に出力する。この情報に基づく伝送レートを所定の送信アンテナに設定して、この送信アンテナからデータの送信を行うものである。
【０１０５】
（実施の形態３）
図５は、本発明の実施の形態３に係る通信装置である端末装置４００の構成を示すブロック図である。
【０１０６】
実施の形態３における端末装置４００は、実施の形態２における送信装置３００の比較部１２８において、通信相手の送信アンテナ数分の伝送レート要求信号を送信するか１本分のアンテナの伝送レート要求信号のみを送信するかの選択に使用するしきい値を、可変とするものである。
【０１０７】
図５に示すように、端末装置４００は、端末装置３００（図４参照）の比較部１２８に入力されるしきい値を、選択部４３２によって選択されたしきい値とする構成を有している。この端末装置４００は、図４に示す実施の形態２に対応する端末装置３００の構成に、選択部４３２を更に加えた構成であり、その他の構成は、端末装置３００と同様の基本的構成を有している。よって、同一の構成要素には同一の符号を付し、その説明を省略する。
【０１０８】
詳細には、この端末装置４００では、比較部１２８において、干渉補償部１２４から入力された品質推定結果（伝搬路推定結果）からなる行列の行列式の絶対値（伝搬路推定結果の逆行列の絶対値｜ＡＤ−ＢＣ｜）の差分と大小比較するためのしきい値は選択部４３２から入力される。
【０１０９】
選択部４３２には、所定数のしきい値が入力され、選択部４３２は、入力される所定数のしきい値からあるしきい値を選択して、比較部１２８に出力する。
【０１１０】
この実施の形態３では、選択部４３２において選択対象となるしきい値を、「しきい値１」、「しきい値２」の２つのしきい値としている。なお、本実施の形態では、しきい値の数を２つの場合として説明したが、本発明はこれに限定されず、任意の数のしきい値を用いることが可能であることは言うまでもない。この場合においても、比較部１２８が算出する比較結果は、送信制御部４１０に出力され、端末装置４００にデータを送信する通信相手側に対して送信する伝送レート要求を、相手側のアンテナ数分送信するか否かを示すものとなる。
【０１１１】
端末装置４００におけるその他の構成要素、及びこれらその他の構成要素によって得られる作用効果は、実施の形態２の端末装置３００におけるそれと同様であるため説明は省略する。
【０１１２】
なお、選択部４３２において、何本分の送信アンテナの伝送レート要求信号を通信相手である基地局等の送信装置に送信するかの選択に用いられるしきい値の最適値は、様々な通信条件によって変化する。選択部４３２では、例えば、以下のような場合で、複数のしきい値から所定のしきい値は設定され、選択したしきい値を比較部１２８に出力する。
【０１１３】
１）回線を使用しているユーザ数によってしきい値を選択して設定する場合
ユーザ数が多い場合は、他のユーザへの干渉を削減する必要があるため、選択対象となる複数のしきい値の中から選択されるしきい値を大きい値とし、できるだけ１本分のアンテナの伝送レート要求信号しか送信しないようにする。
【０１１４】
２）端末の電池の残量によってしきい値を選択して設定する場合
電池の残量が少ない場合は、消費電力を削減する必要があるため、選択対象となる複数のしきい値の中から選択されるしきい値は大きい値とし、できるだけ１本分のアンテナの伝送レート要求信号しか送信しないようにする。
【０１１５】
３）端末の移動速度によってしきい値を選択して設定する場合
端末の移動速度が速い場合、伝送レート要求信号を送信する頻度は、移動速度が遅い場合より高くする必要がある。このため、選択対象となる複数のしきい値の中から選択されるしきい値は大きい値とし、できるだけ１本分のアンテナの伝送レート要求信号しか送信しないようにする。
【０１１６】
４）端末が存在する位置によってしきい値を選択して設定する場合
セルの境界付近に端末が存在する場合、他の端末に与える干渉が大きくなるため、選択対象となる複数のしきい値の中から選択されるしきい値は大きい値とし、できるだけ１本分のアンテナの伝送レート要求信号しか送信しないようにする。
【０１１７】
なお、本実施の形態３の端末装置４００における上記しきい値の選択方法は一例であり、本発明は上記のしきい値の選択方法に限定されずに、任意の条件で各しきい値を変化させることが可能であることは言うまでもない。
【０１１８】
なお、本実施の形態では、端末装置１００、３００、４００の通信相手である送信装置２００が有する送信アンテナ数は、２としたが、これに限らず、送信装置側の送信アンテナ数は任意に設定できることは言うまでも無い。
【０１１９】
本発明の第１の態様に係る通信装置は、複数の送信アンテナからそれぞれ異なるデータを、送信アンテナ毎に独立に伝送レートを設定して送信するＭＩＭＯ通信方式の通信相手に対して送信データ及び前記複数の送信アンテナ数分の伝送レート要求信号を送信する通信装置であって、前記通信相手からの信号を受信する受信手段と、前記受信手段により得られた受信信号に基づいて前記通信相手との間の伝搬路推定を行う推定手段と、前記送信データ及び前記伝送レート要求信号を送信する送信手段と、前記送信手段から送信される信号の送信を制御する制御手段とを有し、前記制御手段は、前記推定手段により得られる伝搬路推定結果からなる行列の行列式の絶対値と、所定の値との比較結果に基づいて、複数の送信アンテナよりも少ないアンテナ数分の伝送レート要求信号を送信する構成を採る。
【０１２０】
この構成によれば、複数の送信アンテナからそれぞれ異なるデータを、送信アンテナ毎に独立に伝送レートを設定して送信するＭＩＭＯ通信方式の通信相手に対して、伝搬路推定結果からなる行列の行列式の絶対値（伝搬路推定結果の逆行列の絶対値）と所定の値との比較結果に基づいて、複数の送信アンテナよりも少ない数のアンテナの伝送レート要求信号を送信するため、通信相手に送信する伝送レート要求信号量が通信相手の送信アンテナ数倍になることがない。よって、伝送効率を殆ど低下させることなく伝送レート要求信号を削減して送信することができ、このように伝送レート要求信号を送信する際の他の受信機（ユーザ）への干渉を低減できるとともに、消費電力を削減することができる。
【０１２１】
本発明の第２の態様に係る通信装置は、上記構成において、前記制御手段は、前記伝搬路推定結果からなる行列の行列式の絶対値と、前記所定の値とを比較して、前記行列式の絶対値が前記所定の値より小さい場合、前記複数の送信アンテナよりも少ない数の送信アンテナの伝送レート要求信号を送信する構成を採る。
【０１２２】
この構成によれば、伝送レート要求信号を送信する際の伝送効率をほとんど低下させることなく、伝送レート要求信号を削減することができ、干渉及び消費電力の削減が可能である。
【０１２３】
本発明の第３の態様に係る通信装置は、上記構成において、前記制御手段は、前記伝搬路推定結果からなる行列の行列式の絶対値と、前記所定の値との比較結果に基づいて、前記複数の送信アンテナのうち、一本分の送信アンテナの伝送レート要求信号を送信する構成を採る。
【０１２４】
この構成によれば、伝送レート要求信号を送信する通信相手に対して、前記複数の送信アンテナのうち、一本分の送信アンテナの伝送レート要求信号を送信するため、通信相手側において、伝送レート要求信号を受信する際のスループットが、全送信アンテナ分の伝送レート要求信号を受信する場合と比べて減少するとともに、伝送レート要求信号を送信する際の消費電力を、全送信アンテナ分の伝送レート要求信号を送信する場合と比べて削減することができる。
【０１２５】
本発明の第４の態様に係る通信装置は、上記構成において、前記制御手段は、前記通信相手の送信アンテナ数分の伝送レート要求信号を送信するか１本分の送信アンテナの伝送レート要求信号のみを送信するかを示す情報を、通信相手に送信する構成を採る。
【０１２６】
この構成によれば、通信相手は、受信したデータにおいて、伝送レート要求信号を抽出する際に、通信相手の送信アンテナ数分の伝送レート要求信号を送信するか１本分の送信アンテナの伝送レート要求信号のみを送信するかを示す情報に基づいて検出できるため、上記構成の態様に比べて、更に、通信相手が伝送レート要求信号を誤検出することを低減することができる。
【０１２７】
本発明の第５の態様に係る通信装置は、上記構成において、前記所定の値は可変自在である構成を採る。
【０１２８】
この構成によれば、上記構成の通信装置を用いた場合よりも更に、伝送レート要求信号を送信する場合において、他の通信装置（ユーザ）への干渉を低減できる。
【０１２９】
本発明の第６の態様に係る通信方法は、複数の送信アンテナからそれぞれ異なるデータを、送信アンテナ毎に独立に伝送レートを設定して送信する通信相手に対して送信データ及び前記複数の送信アンテナ数分の伝送レート要求信号を送信する通信方法であって、前記通信相手からの信号を受信する受信ステップと、前記受信ステップにより得られた受信信号に基づいて前記通信相手との間の伝搬路推定を行う推定ステップと、前記推定ステップにより得られる伝搬路推定結果からなる行列の行列式の絶対値と、所定の値との比較結果に基づいて、複数の送信アンテナよりも少ないアンテナ数分の伝送レート要求信号を設定して送信する送信ステップとを有するようにした。
【０１３０】
この方法によれば、ＭＩＭＯ通信方式の通信相手に対して伝送レート要求信号を送信する際に、常に通信相手の全送信アンテナ分の伝送レート要求信号を送信する必要がないため、伝送効率をほとんど低下させることなく、伝送レート要求信号を削減することができ、干渉及び消費電力の削減を図ることができる。
【０１３１】
本発明の第７の態様に係る無線通信システムは、複数の送信アンテナからそれぞれ異なる信号を、送信アンテナ毎に独立に伝送レートを設定して送信する送信機と、複数の受信アンテナで、前記送信機からの送信信号を受信するともに、前記送信機に対して送信データ及び前記複数の送信アンテナ数分の伝送レート要求信号を送信する受信機とを具備する無線通信システムであって、前記受信機は、前記送信機からの送信信号を用いて前記送信機との間の伝搬路推定を行う推定手段と、前記送信データ及び前記伝送レート要求信号を送信する送信手段と、前記送信手段から送信される信号の送信を制御する制御手段とを有し、前記制御手段は、前記推定手段により得られる伝搬路推定結果からなる行列の行列式の絶対値と所定の値との比較結果に基づいて、前記複数の送信アンテナよりも少ないアンテナ数分の伝送レート要求信号を送信するものであり、前記送信機は、前記受信機から送信される前記複数の送信アンテナよりも少ないアンテナ数分の伝送レート要求信号に対応するアンテナにおいて、最も回線品質のよいアンテナの伝送レート及び送信信号を用いて、全ての送信アンテナから同一信号の送信、または、前記最も回線品質のよいアンテナのみでの送信を行う構成を採る。
【０１３２】
この構成によれば、受信機は、送信機に、伝搬路推定結果からなる行列の行列式の絶対値と所定の値との比較結果に基づいて送信機における複数の送信アンテナよりも少ないアンテナ数分の伝送レート要求信号を送信する。一方、送信機は受信機から送信される複数の送信アンテナよりも少ないアンテナ数分の伝送レート要求信号に対応するアンテナにおける最も回線品質のよいアンテナの伝送レート及び送信信号を用いて、全ての送信アンテナから同一信号の送信、または、前記最も回線品質のよいアンテナのみでの送信を行う。このため、受信機は、通信相手である送信機に送信する伝送レート要求信号量が、送信機の送信アンテナ数倍になることがない。よって、伝送効率を殆ど低下させることなく伝送レート要求信号を削減して送信することができ、このように伝送レート要求信号を送信する際の他の受信機（ユーザ）への干渉を低減できるとともに、消費電力を削減することができる。また、これを受けて、送信機は、全アンテナ同一の伝送レートで送信したり、最も回線品質のよいアンテナのみで送信したりするため、よって、スループットをほとんど低下させずに下り回線の制御情報量を削減できる。
【産業上の利用可能性】
【０１３３】
本発明に係る通信装置及び通信方法は、伝送効率をほとんど低下させることなく、伝送レート要求信号を削減して送信することができ、伝送レート要求信号を送信する際の干渉及び消費電力の削減する効果を有し、ＭＩＭＯ通信方式においてデータを送信する場合に有用である。
【符号の説明】
【０１３４】
１００、３００、４００  端末装置（通信装置）
１１０、２６０、３１０、４１０  送信制御部
１１２  変調符号化部
１１４  送信部
１２４  干渉補償部
１２８  比較部
１３２、４３２  選択部
１３４  復号部
１３６  Ｓ／Ｐ変換部
２００  送信装置
２１０  第１送信アンテナ
２２０  第２送信アンテナ
【図１】
2011193519.tif 000003
【図２】
2011193519.tif 000004
【図３】
2011193519.tif 000005
【図４】
2011193519.tif 000006
【図５】
2011193519.tif 000007
【図６】
2011193519.tif 000008